(57)【要約】【課題】  トナーカートリッジの現像装置本体に対する良好な着脱操作性を確保する。【解決手段】  トナーカートリッジ５０には、カートリッジ保持容器４０に装着された状態で開放されるシャッタ８０が設けられ、カートリッジ保持容器４０の長手方向の対向壁面の一方側には、中心軸７２回りに回動自在に円盤状ロックプレート７０が設けられているとともに、他方側には中心軸７２と対向した曲率中心凹部４１３が設けられている一方、トナーカートリッジ５０は、円盤状ロックプレート７０と曲率中心凹部４１３とに支持されるように構成され、トナーカートリッジ５０のカートリッジ保持容器４０に対するロックおよびロック解除操作並びにトナーカートリッジ５０のシャッタ８０の開閉操作を円盤状ロックプレート７０のワンタッチによる中心軸７２回りの回動操作で同時に行い得るロック機構６０が設けられている。【選択図】      図４
2005242185.tif 000002
【特許請求の範囲】
【請求項１】
区画壁を有する所定の取付け部に装着される装着物の装着状態をロックする装着物のロック機構であって、
前記装着物の一側壁と前記区画壁との間に回転式のロックプレートが配設され、
前記ロックプレートには第１凸条が設けられている一方、前記装着物には前記第１凸条と対向する第２凸条が設けられ、
前記第１および第２凸条は、前記ロックプレートの回動による相互の干渉で前記装着物を前記取付け部にロックさせるように形状設定されていることを特徴とする装着物のロック機構。
【請求項２】
請求項１記載の装着物のロック機構を用いた、画像形成装置に適用される現像装置であって、前記取付け部は、トナー像を形成させるべく感光体ドラムにトナーを供給する現像装置本体であり、前記装着物は、前記現像装置本体に着脱自在に装着されるトナーカートリッジであることを特徴とするロック機構を用いた現像装置。
【請求項３】
前記現像装置本体は、前記トナーカートリッジを着脱するための上面開口を有するカートリッジ保持容器を有し、
前記ロックプレートは、カートリッジ保持容器の長手方向の対向壁面の一方側に支持軸回りに回動自在に軸支され、
ロック機構は、前記ロックプレートのワンタッチによる前記支持軸回りの回動操作で前記トナーカートリッジのカートリッジ保持容器に対するロックおよびロック解除操作を行い得るものであることを特徴とする請求項２記載の現像装置。
【請求項４】
前記トナーカートリッジには、現像装置本体に装着された状態で開放されるシャッタが設けられ、
前記カートリッジ保持容器の長手方向の対向壁面の一方側に前記ロックプレートが設けられているとともに、他方側に前記支持軸と対向した軸支部が設けられて、
前記トナーカートリッジは、前記ロックプレートと前記軸支部に支持されるように構成され、
ロック機構は、前記トナーカートリッジのカートリッジ保持容器に対するロックおよびロック解除操作並びにトナーカートリッジのシャッタの開閉操作を前記ロックプレートのワンタッチによる前記支持軸回りの回動操作で同時に行い得るものであることを特徴とする請求項３記載の現像装置。
【請求項５】
前記ロック機構は、前記ロックプレートの他方側の対向壁面と対向した面に凹設された周縁面から前記支持軸の軸心を含む位置へ延びる装着溝と、前記面に突設された前記軸心を曲率中心とする円弧凸条と、前記トナーカートリッジに突設され、かつ、前記装着溝に嵌り込む嵌入突起と、前記円弧凸条に干渉する干渉突起とを備えて構成され、
前記円弧凸条は、前記装着溝から周方向に離間するに伴って突出量が漸増するような傾斜面を備えて構成され、
前記装着溝の前記軸心位置には前記嵌入突起との干渉で当該突起の相対回転を阻止する係止片が設けられ、
前記嵌入突起は、前記ロックプレートがロック解除操作されることにより前記シャッタを閉止する一方、ロック操作されることにより前記シャッタを開放するように当該シャッタと連係されていることを特徴とする請求項４記載の現像装置。
【請求項６】
前記ロックプレートには、当該ロックプレートの回動操作を援助するための操作レバーが設けられていることを特徴とする請求項１乃至５のいずれかに記載の現像装置。
【請求項７】
前記トナーカートリッジには、前記軸支部に対応した対応突起が突設され、前記軸支部は、前記対応突起が嵌り込み得る凹部または孔であることを特徴とする請求項４乃至６のいずれかに記載の現像装置。
【発明の詳細な説明】
【技術分野】
【０００１】
本発明は、区画壁を有する所定の取付け部に装着された装着物の装着状態をロックする装着物のロック機構およびこれを用いた現像装置に関するものである。
【背景技術】
【０００２】
複写機やファクシミリ装置、さらには各種のプリンタ等の画像形成装置には、現像装置が適用されている。この現像装置は、感光体ドラムの周面に形成された静電潜像に向けてトナーを供給してトナー像を形成させるものであり、トナーを攪拌する攪拌手段や、感光体ドラムの周面へトナーを供給する現像ローラ等の内装された現像装置本体と、この現像装置本体に着脱自在に装着されて当該現像装置本体へトナーを補給するトナーカートリッジとを備えて構成されている。かかるトナーカートリッジの中には、現像装置本体に対しその上方から着脱されるようになっているものがある。
【０００３】
現像装置本体の上面には開閉可能なゲートが設けられているとともに、トナーカートリッジには、その底部に前記ゲートと対応した開閉可能なシャッタが設けられている。そして、トナーカートリッジを現像装置本体に装着してロック操作を施した後にシャッタの開放操作を行うことにより、トナーカートリッジと現像装置本体とが連通され、トナーカートリッジ内のトナーが現像装置本体内へ導入されるようになっている。かかる現像装置については、例えば特許文献１に記載されている。
【特許文献１】特許第３２７３７２３号公報
【発明の開示】
【発明が解決しようとする課題】
【０００４】
ところで、上記のような従来の現像装置にあっては、トナーカートリッジを現像装置本体に対して着脱操作を行うに際し、まず、トナーカートリッジの現像装置本体に対するロックまたはロック解除操作を行ってからシャッタの開閉操作を行わなければならず、操作が少なくとも二段階で行われるため非常に面倒である。
【０００５】
このような問題点は、現像装置に限らず、一般に区画壁を有する所定の取付け部と、この取付け部に着脱自在に装着される装着物との間のロックおよびロック解除操作において存在するものである。
【０００６】
本発明は、かかる問題点を解消するためになされたものであり、トナーカートリッジ（装着物）の現像装置本体（取付け部）に対するロック操作やロック解除操作をワンタッチで行うことができ、これによってトナーカートリッジの現像装置本体に対する良好な着脱操作性を確保することができる装着物のロック機構およびこれを用いた現像装置を提供することを目的としている。
【課題を解決するための手段】
【０００７】
請求項１記載の発明は、区画壁を有する所定の取付け部に装着される装着物の装着状態をロックする装着物のロック機構であって、前記装着物の一側壁と前記区画壁との間に回転式のロックプレートが配設され、前記ロックプレートには第１凸条が設けられている一方、前記装着物には前記第１凸条と対向する第２凸条が設けられ、前記第１および第２凸条は、前記ロックプレートの回動による相互の干渉で前記装着物を前記取付け部にロックさせるように形状設定されていることを特徴とするものである。
【０００８】
図１は、請求項１記載の発明を概念的に示した説明図である。この図に示すように、ロック機構１００は、区画壁１０１を有する取付け部１０２に装着された装着物１０３の装着状態をロックするものである。かかるロック機構１００は、装着物１０３の一側壁１０４と前記区画壁１０１との間に介設された回転式のロックプレート１０５を備えて構成されている。このロックプレート１０５は、例えば当該ロックプレート１０５と前記区画壁１０１との間に介設された支持軸１０５ａ回りに回動自在に軸支されることによって回転式になっている。
【０００９】
かかるロックプレート１０５には、第１凸条１０６が突設されている一方、前記装着物１０３には、第１凸条１０６と対向する第２凸条１０７が突設されている。なお、第２凸条１０７は、装着物１０３を取付け部１０２に据え付けた状態で、第１凸条１０６の周回軌道の一部に位置するように突設されている。そして、これら第１および第２凸条１０６，１０７は、前記ロックプレート１０５の支持軸１０５ａ回りの回動操作による相互の干渉（第１および第２凸条１０６，１０７の非干渉状態から干渉状態への移行）で装着物１０３がロックプレート１０５を介して取付け部１０２にロックされるようになっている。
【００１０】
かかるロック機構１００によれば、装着物１０３を取付け部１０２へ装着した状態で、ロックプレート１０５を所定の方向に向けて回動操作することにより、第１および第２凸条１０６，１０７が互いに干渉し合い、これによって装着物１０３がロックプレート１０５を介して取付け部１０２にロックされる。
【００１１】
第１および第２凸条１０６，１０７の相互の干渉によって装着物１０３の装着状態をロックする方式については、例えば、第１および第２凸条１０６，１０７のいずれか一方の対向面に傾斜面を形成し、ロックプレート１０５の支持軸１０５ａ回りの回動によって他方の凸条が傾斜面に沿って相手方の凸条に乗り上げるようにし、これによる装着物１０３のロックプレート１０５からの離間によって装着物１０３が取付け部１０２内の区画壁１０１と対向した図略の区画壁に当止させるようにするものや、第１および第２凸条１０６，１０７の相互の干渉でそれらが互いに係合し合うようにしたもの等を挙げることができる。
【００１２】
請求項２記載の発明は、請求項１記載の装着物のロック機構を用いた、画像形成装置に適用される現像装置であって、前記取付け部は、トナー像を形成させるべく感光体ドラムにトナーを供給する現像装置本体であり、前記装着物は、前記現像装置本体に着脱自在に装着されるトナーカートリッジであることを特徴とするものである。
【００１３】
かかる構成を採用したことにより、現像装置は、請求項１のロック機構の作用と同一の作用を有するものになる。
【００１４】
請求項３記載の発明は、請求項２記載の発明において、前記現像装置本体は、前記トナーカートリッジを着脱するための上面開口を有するカートリッジ保持容器を有し、前記ロックプレートは、カートリッジ保持容器の長手方向の対向壁面の一方側に支持軸回りに回動自在に軸支され、ロック機構は、前記ロックプレートのワンタッチによる前記支持軸回りの回動操作で前記トナーカートリッジのカートリッジ保持容器に対するロックおよびロック解除操作を行い得るものであることを特徴とするものである。
【００１５】
かかる構成を採用したことにより、トナーカートリッジをカートリッジ保持容器にその上面開口から嵌め込んだ状態で、ロックプレートをワンタッチ操作で支持軸回りに所定方向へ回動させることにより、ロック機構の作用でトナーカートリッジのカートリッジ保持容器に対するロックが行われる一方、ロックプレートをワンタッチ操作で支持軸回りに他方向へ回動させることにより、前記ロックが解除される。
【００１６】
請求項４記載の発明は、請求項３記載の発明において、前記トナーカートリッジには、現像装置本体に装着された状態で開放されるシャッタが設けられ、前記カートリッジ保持容器の長手方向の対向壁面の一方側に前記ロックプレートが設けられているとともに、他方側に前記支持軸と対向した軸支部が設けられて、前記トナーカートリッジは、前記ロックプレートと前記軸支部に支持されるように構成され、ロック機構は、前記トナーカートリッジのカートリッジ保持容器に対するロックおよびロック解除操作並びにトナーカートリッジのシャッタの開閉操作を前記ロックプレートのワンタッチによる前記支持軸回りの回動操作で同時に行い得るものであることを特徴とするものである。
【００１７】
かかる構成を採用したことにより、トナーカートリッジを現像装置本体に対して装着するに際し、ロックプレートを所定の方向にワンタッチ操作で回動させることによりトナーカートリッジのカートリッジ保持容器に対するロックとシャッタの開放とが同時に行われるとともに、トナーカートリッジをカートリッジ保持容器から取り外すに際しても同様の逆方向に向かうワンタッチ操作でロック解除とシャッタ閉止とが同時に行われる。
【００１８】
請求項５記載の発明は、請求項４記載の発明において、前記ロック機構は、前記ロックプレートの他方側の対向壁面と対向した面に凹設された周縁面から前記支持軸の軸心を含む位置へ延びる装着溝と、前記面に突設された前記軸心を曲率中心とする円弧凸条と、前記トナーカートリッジに突設され、かつ、前記装着溝に嵌り込む嵌入突起と、前記円弧凸条に干渉する干渉突起とを備えて構成され、前記円弧凸条は、前記装着溝から周方向に離間するに伴って突出量が漸増するような傾斜面を備えて構成され、前記装着溝の前記軸心位置には前記嵌入突起との干渉で当該突起の相対回転を阻止する係止片が設けられ、前記嵌入突起は、前記ロックプレートがロック解除操作されることにより前記シャッタを閉止する一方、ロック操作されることにより前記シャッタを開放するように当該シャッタと連係されていることを特徴とするものである。
【００１９】
かかる構成によれば、トナーカートリッジをカートリッジ保持容器へ装着するに際し、トナーカートリッジを、その嵌入突起がロックプレートの装着方向に延びた装着溝に嵌め込まれた状態でカートリッジ保持容器に装入していくことにより、当該トナーカートリッジはカートリッジ保持容器内に嵌め込まれていく。
【００２０】
そして、トナーカートリッジがカートリッジ保持容器内に嵌め込まれた後にロックプレートをその支持軸回りに円弧凸条が干渉突起と干渉する方向に向けて回動操作することにより、トナーカートリッジは、その干渉突起が円弧凸条の傾斜面に押圧され、これによってカートリッジ保持容器内をその軸支部の方向にむけて移動してカートリッジ保持容器の軸支部に支持されるとともに、嵌入突起は、斜めになった装着溝から抜け止めされ、これによってトナーカートリッジのカートリッジ保持容器に対するロックが行われるとともに、トナーカートリッジのシャッタが開放され、トナーカートリッジ内のトナーが現像装置本体へ補給される。
【００２１】
また、カートリッジ保持容器からトナーカートリッジを取り外すに際しては、ロックプレートを支持軸回りに装着時と反対方向に回動操作すればよい。こうすることによって干渉突起は、円弧凸条の傾斜面からの押圧が解除され、トナーカートリッジは、軸支部から外れるとともに、装着溝がトナーカートリッジの抜き出し方向に向くため、これと連動してシャッタが閉じられるため、トナーの漏れ出しが阻止された状態でトナーカートリッジをカートリッジ保持容器から取り外すことができる。
【００２２】
請求項６記載の発明は、請求項１乃至５のいずれかに記載の発明において、前記ロックプレートには、当該ロックプレートの回動操作を援助するための操作レバーが設けられていることを特徴とするものである。
【００２３】
かかる構成を採用したことにより、操作レバーの操作でロックプレートを支持軸回りに回動操作することが可能になり、ロックプレートの操作性が良好になる。
【００２４】
請求項７記載の発明は、請求項４乃至６のいずれかに記載の発明において、前記トナーカートリッジには、前記軸支部に対応した対応突起が突設され、前記軸支部は、前記対応突起が嵌り込み得る凹部または孔であることを特徴とするものである。
【００２５】
かかる構成を採用したことにより、トナーカートリッジの対応突起がカートリッジ保持容器の凹部または孔に単に嵌り込むことによってトナーカートリッジの他方の端部がカートリッジ保持容器に確実に保持され、軸支部の構造が簡単なものになる。
【発明の効果】
【００２６】
請求項１記載の発明によれば、装着物を取付け部へ装着した状態で、ロックプレートを所定の方向に向けて回動操作することにより、第１および第２凸条が互いに干渉し合い、これによって装着物がロックプレートを介して取付け部にされるため、取付け部に装着された装着物の装着状態をロックプレートのワンタッチによる回動操作で容易にロックすることが可能になり、かかるロック操作の操作性の向上によって装着物を取付け部に着脱自在に装着した上でロックするような作業の作業性が改善され、作業コストの低減化に貢献することができる。
【００２７】
請求項２記載の発明によれば、画像形成装置に適用される現像装置ついて、トナーカートリッジの現像装置本体に対する着脱操作に関し、請求項１の発明と同様の効果を得ることができる。
【００２８】
請求項３記載の発明によれば、トナーカートリッジをカートリッジ保持容器にその上面開口から嵌め込んだ状態で、ロックプレートをワンタッチ操作で支持軸回りに所定方向へ回動させることにより、ロック機構の作用でトナーカートリッジのカートリッジ保持容器に対するロックが行われる一方、ロックプレートをワンタッチ操作で支持軸回りに他方向へ回動させることにより、前記ロックが解除されるため、トナーカートリッジのカートリッジ保持容器に対するロックおよびロック解除操作が極めて容易になり、これによってトナーカートリッジの交換作業の作業性を向上させることができる。
【００２９】
請求項４記載の発明によれば、トナーカートリッジを現像装置本体に対して装着するに際し、ロックプレートを所定の方向にワンタッチ操作で回動させることによりトナーカートリッジのカートリッジ保持容器に対するロックとシャッタの開放とが同時に行われるとともに、トナーカートリッジをカートリッジ保持容器から取り外すに際しても同様の逆方向に向かうワンタッチ操作でロック解除とシャッタ閉止とが同時に行われるため、ロックまたはロック解除操作と、シャッタの開閉操作とを別々に行わなければならなかった従来の現像装置に比べてトナーカートリッジの着脱操作の操作性を向上させることができる。
【００３０】
請求項５記載の発明によれば、ロック機構を、ロックプレートに設けた装着溝と、同円弧凸条と、トナーカートリッジに設けた嵌入突起と、同円弧凸条に干渉する干渉突起とを備えて構成するとともに、円弧凸条には、装着溝から周方向に離間するに伴って突出量が漸増するような傾斜面を備えることにより、トナーカートリッジのロック機構を簡単なものにした上でワンタッチ操作でトナーカートリッジの現像装置本体に対するロックおよびロック解除と、シャッタの開閉操作とを同時にを行うことができ、トナーカートリッジの現像装置本体に対する着脱操作の操作性の向上に寄与することができる。
【００３１】
請求項６記載の発明によれば、ロックプレートには、当該ロックプレートの回動操作を援助するための操作レバーが設けられているため、操作レバーの操作でロックプレートを支持軸回りに回動操作することが可能になり、ロックプレートの操作性をより良好なものにすることができる。
【００３２】
請求項７記載の発明によれば、トナーカートリッジには、軸支部に対応した対応突起が突設され、軸支部として対応突起が嵌り込み得る凹部または孔を採用しているため、軸支部の構造を簡単なものにした上でトナーカートリッジをカートリッジ保持容器に確実に装着することができる。
【発明を実施するための最良の形態】
【００３３】
図２は、本発明に係る現像装置（装着物のロック機構）が適用されるファクシミリ装置の一実施形態を示す外観斜視図であり、図３は、その内部構造の概要を説明するための説明図である。これらの図に示すように、ファクシミリ装置１０は、上部に配置された原稿の画像情報を読み取るための読取部１と、装置本体のほぼ中央部に配置され受信した画像情報を用紙表面に形成する転写部２と、装置本体の底部に配置され転写部２に対して用紙を供給する供給部３とを備えた基本構成を有している。
【００３４】
読取部１には、原稿が載置される原稿台５と、原稿を搬送する原稿搬送部６と、原稿搬送部６から排出されてきた原稿を収容する原稿排出トレイ７とを有している。原稿搬送部６には、原稿の画像情報を読み取るための画像情報読取センサ８が配置されている。また、装置の上面には各種のキーや表示部を備えた操作パネル９が配置されている。さらに、装置の上部にはハンドセット９１が配置されている。
【００３５】
転写部２は、感光体ドラム１１０等を含むイメージングユニット１１と、感光体ドラム１１０上に形成された静電潜像をトナーにより現像する現像装置２０と、感光体ドラム１１０上に形成されたトナー像を用紙に転写する転写ローラ１２と、受信情報に応じた画像をイメージングユニット１１の感光体ドラム１１０表面に形成するためのレーザ装置１３と、転写ローラ１２により用紙の表面に転写されたトナー像を定着するための定着搬送装置１４とを有している。定着搬送装置１４の下流側には用紙排出トレイ１５が設けられている。
【００３６】
給紙部３は、装置本体の側部に設けられた開口を介して着脱自在に装着された給紙カセット１６と、この給紙カセット１６から用紙を送り出すとともにこの用紙を転写部２に供給する給紙装置１７とを有している。
【００３７】
なお装置本体は、上ケース１０ａと下ケース１０ｂとに分かれており、上ケース１０ａは、ヒンジ部１０ｃを中心に下ケース１０ｂに対して開閉自在になっている。上ケース１０ａには、読取部１と、転写部２のうちイメージングユニット１１、現像装置２０およびレーザ装置１３とが装着されており、下ケース２６には、転写部２のうちの転写ローラ１２及び定着搬送装置１４と、給紙部３とが配置されている。
【００３８】
図４は、本発明に係る現像装置２０の一実施形態を示す一部切欠き分解斜視図である。また、図５および図６は、図４に示す現像装置２０の一部切欠き組立て斜視図であり、図５は、円盤状ロックプレート７０がロック解除姿勢に姿勢設定された状態、図６は、円盤状ロックプレート７０がロック姿勢に姿勢設定された状態をそれぞれ示している。さらに、図７は、図５のＡ−Ａ剪断面図であり、図８は、図５のＢ−Ｂ線断面図である。なお、図４〜図８において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００３９】
これらの図に示すように、現像装置２０は、現像装置本体３０と、この現像装置本体３０の上部に形成されたカートリッジ保持容器（取付け部１０２）４０と、このカートリッジ保持容器４０に着脱自在に装着されるトナーカートリッジ（装着物１０３）５０と、カートリッジ保持容器４０に装着されたトナーカートリッジ５０の装着状態をロックするとともに、トナーカートリッジ５０内を現像装置本体３０内に連通させるロック機構６０とを備えた基本構成を有している。
【００４０】
前記現像装置本体３０は、感光体ドラム１１０の周面にトナーを供給して前記周面にトナー像を形成させるためのものであり、図５に示すように、感光体ドラム１１０と平行に配される幅方向に長尺の筐体３１と、この筐体３１内の前方位置に設けられた現像ローラ３２と、この現像ローラ３２の後方位置に設けられたスパイラルフィーダ３３とを備えている。
【００４１】
前記現像ローラ３２は、筐体３１の一対の側壁３１１間に架設されたローラ軸３２１と、このローラ軸３２１に同心で一体的に外嵌されたゴム等の弾性材料からなるローラ本体３２２とから構成され、ローラ軸３２１回りに回転しながら筐体３１内のトナーをローラ本体３２２の周面から感光体ドラム１１０の周面へ受け渡しするようになっている。
【００４２】
前記スパイラルフィーダ３３は、筐体３１の一対の側壁３１１間に架設されたフィーダ軸３３１と、このフィーダ軸３３１回りに螺設されたスパイラルフィン３３２とからなり、スパイラルフィン３３２のフィーダ軸３３１回りの回転によって現像装置本体３０内のトナーを攪拌し、これによってトナーの団塊を破壊したり、トナーの粒度分布が均一なるようにしている。
【００４３】
前記カートリッジ保持容器４０は、予めトナーが充填されたトナーカートリッジ５０を着脱自在に装着するためのものであり、下部が円弧状に形成された同一形状の幅方向一対の側板（円盤状ロックプレート７０側の側板は区画壁１０１）４１と、各側板４１の円弧縁部間に架設された側面視で円弧状を呈する円弧底板４２と、各側板４１の前方縁部間に架設された前板４３と、各側板４１の後方縁部間に架設された後板４４とを備えて構成されている。カートリッジ保持容器４０の上面には、一対の側板４１、前板４３およびトナー供給口４８に囲まれた、トナーカートリッジ５０を当該カートリッジ保持容器４０に装着するための上面開口が形成されている。
【００４４】
前記左方の側板４１には、下部の円弧状に形成された部分の曲率中心位置に曲率中心孔４１１が穿設されているとともに、この曲率中心孔４１１を囲むようになされた曲率中心孔４１１と同一内径寸法を備えたブッシュ４１２が外方に向って突設されている。また、前記右方の側板４１の内面側には、幅方向で前記曲率中心孔４１１と対向した円形の曲率中心凹部（軸支部）４１３が設けられている。
【００４５】
前記円弧底板４２の左方位置には、図４に示すように、幅方向に長尺のトナー供給口４８が設けられているとともに、このトナー供給口４８を開閉する開閉機構４５が設けられている。図９は、開閉機構４５の一実施形態を示す断面図であり、（イ）は、ゲート部材４６が閉止位置に位置設定された状態、（ロ）は、ゲート部材４６が開放位置に位置設定された状態をそれぞれ示している。
【００４６】
図９に示すように、開閉機構４５は、トナー供給口４８を開閉するゲート部材４６と、このゲート部材４６をトナー供給口４８の方向へ向けて押圧するコイルスプリング４７とを備えて構成されている。前記ゲート部材４６は、現像装置本体３０の筐体３１における前方側天板３１２上を前後方向にスライドするスライド板４６１と、このスライド板４６１の前後方向の中央部から上方に向けて突設された幅方向（図９の紙面に直交する方向）に延びるリブ４６２とを備えている。
【００４７】
一方、カートリッジ保持容器４０の円弧底板４２には、その前方位置にゲート部材４６を挿通するための挿通窓４２１が開口され、ゲート部材４６は、この挿通窓４２１を介してスライド板４６１が前方側天板３１２上を前後方向に正逆移動し、これによってスライド板４６１の後部がトナー供給口４８を閉止した閉止位置と、トナー供給口４８を開放する開放位置との間で位置変更し得るようになっている。
【００４８】
そして、トナーカートリッジ５０がカートリッジ保持容器４０に装着されていない状態では、ゲート部材４６は、コイルスプリング４７の付勢力によって、図９の（イ）に示すように、トナー供給口４８が塞がれた閉止位置に位置設定される一方、トナーカートリッジ５０がカートリッジ保持容器４０に装着された状態では、トナーカートリッジ５０の円弧底板５２がリブ４６２と干渉することによってコイルスプリング４７の付勢力に抗して前方に移動し、これによってトナー供給口４８が、図９の（ロ）に示すように開放されるようになっている。
【００４９】
かかる開閉機構４５によれば、トナーカートリッジ５０をカートリッジ保持容器４０内に押し込むことによって今まで閉じられていたゲート部材４６が自動的に開放される一方、トナーカートリッジ５０をカートリッジ保持容器４０から抜き出すことによってゲート部材４６がコイルスプリング４７の付勢力で自動的に閉じられるため、ゲート部材４６の開閉操作を別途行うことなくトナー供給口４８は必要なとき（すなわちトナーカートリッジ５０内のトナーをカートリッジ保持容器４０内に補給するとき）以外常に閉じられた状態になり、現像装置本体３０内からのトナー供給口４８を介したトナーの飛散が有効に防止される。
【００５０】
前記トナーカートリッジ５０は、下部が円弧状に形成された同一形状の幅方向一対の側板（一方の側板は一側壁１０４）５１と、各側板５１の円弧縁部間に架設された側面視で円弧状を呈する円弧底板５２と、各側板５１の前方縁部間に架設された前板５３と、各側板４１の後方縁部間に架設された後板５４と、上面開口を閉止する蓋体５５とを備えて構成されている。蓋体５５は、トナーカートリッジ５０内にトナーが充填された後に側板５１、前板５３および後板５４の各上縁部に密着固定されるようになっている。
【００５１】
前記各側板５１の円弧部分の曲率半径は、カートリッジ保持容器４０の側板４１の円弧部分の曲率半径より若干小さめに寸法設定され、これによってトナーカートリッジ５０は、略密着状態でカートリッジ保持容器４０内に嵌め込み得るようになっている。
【００５２】
また、前記左方の側板５１には、下部の円弧状に形成された部分の曲率中心位置に前記カートリッジ保持容器４０の曲率中心孔４１１と対応した曲率中心孔５１１が穿設されているとともに、右方の側板５１の外面側には、前記カートリッジ保持容器４０の右方の側板４１に設けられた曲率中心凹部４１３に摺接状態で嵌り込む柱状突起５１２が突設されている。この柱状突起５１２は、トナーカートリッジ５０のカートリッジ保持容器４０への装着に際し、カートリッジ保持容器４０の曲率中心凹部４１３へ嵌め込まれるものである。
【００５３】
また、左側の側板５１における曲率中心孔５１１の上方位置の適所には、後述する円盤状ロックプレート７０の円弧凸条７６に対応する外方へ向って突出した干渉突起（第２凸条１０７）５７が設けられている。
【００５４】
また、前記円弧底板５２の左方位置には、図４に示すように、前記カートリッジ保持容器４０のトナー供給口４８に対応した幅方向に長尺のトナー排出口５６が設けられ、トナーカートリッジ５０内のトナーは、このトナー排出口５６および前記トナー供給口４８を通って現像装置本体３０内に供給されるようになっている。
【００５５】
前記ロック機構６０は、図４に示すように、カートリッジ保持容器４０側に装着される円盤状ロックプレート（ロックプレート１０５）７０と、トナーカートリッジ５０側に装着され、かつ、トナーカートリッジ５０がカートリッジ保持容器４０に装着されることで前記円盤状ロックプレート７０とリンクされるシャッタ８０とからなっている。なお、図４では、円盤状ロックプレート７０は、その右面側を示すために、カートリッジ保持容器４０への被装着姿勢から平面視で時計方向に９０°回した状態のものをカートリッジ保持容器４０の外側に示している。かかる外側に示した円盤状ロックプレート７０は、それを白抜き矢印で示すように平面視で反時計方向に９０°回してカートリッジ保持容器４０内に装着されることになる。
【００５６】
このような円盤状ロックプレート７０は、円形のプレート本体７１と、このプレート本体７１の中心位置から同心で左方に向けて突設された中心軸（支持軸）７２と、プレート本体７１の周面から径方向の外方に向けて突設された操作レバー７３とを備えている。前記中心軸７２は、外径寸法が前記カートリッジ保持容器４０の曲率中心孔４１１に摺接状態で嵌入され得るように寸法設定されているとともに、突出量がブッシュ４１２の突出量より側板４１の厚み分だけ大きく設定されている。
【００５７】
かかる中心軸７２の中心位置には、ねじ孔７２１が螺設されている。そして、中心軸７２が側板４１の内側から曲率中心孔４１１およびブッシュ４１２に差し通された状態で、ブッシュ４１２より大径のワッシャ７４１を有する雄ねじ７４が前記ねじ孔７２１に螺着され、これによって円盤状ロックプレート７０が中心軸７２回りに回動自在にカートリッジ保持容器４０の左方の側板４１に抜け止め状態で取り付けられるようになっている。
【００５８】
また、前記プレート本体７１の右面側（図４において正規の装着位置から時計方向に９０°回したものでは後面側）には、周縁面から中心位置に向けて径方向に延びるように凹設された操作レバー７３と直交する装着溝７５が設けられている。この装着溝７５は、溝幅寸法が後述の嵌入突起８４の径寸法より僅かに幅広に設定されているとともに、装着溝７５内の基端側には、溝幅の中央位置において装着溝７５の延びる方向に向けて突設された係止片７５１が設けられている。
【００５９】
また、プレート本体７１には、装着溝７５の長手方向の略中央位置から操作レバー７３に向けて同心で膨設された円弧凸条７６が設けられている。この円弧凸条７６は、トナーカートリッジ５０の左側の側板５１に突設された前記干渉突起５７と対向する位置に設けられている。かかる円弧凸条（第１凸条）７６は、装着溝７５から操作レバー７３へ向うに従い厚み寸法（膨出量）が漸増するような傾斜面７６１を有している。
【００６０】
このような円盤状ロックプレート７０は、カートリッジ保持容器４０の左側の側板４１に装着された状態で操作レバー７３の操作によって中心軸７２回りに正逆回動されることにより、操作レバー７３が前方に向けて突出し図５に示すようなたロック解除姿勢と、操作レバー７３が上方に向けて突出した図６に示すようなロック姿勢との間で姿勢変更可能になっている。そして、カートリッジ保持容器４０の前板４３には、ロック解除姿勢に姿勢設定されたプレート本体７１の操作レバー７３を逃すための逃し凹溝４３１が設けられている。
【００６１】
前記シャッタ８０は、トナーカートリッジ５０のトナー排出口５６を開閉自在に閉止するシャッタ本体８１と、このシャッタ本体８１の幅方向両端部から側板５１の曲率中心位置に向けて延設された幅方向一対の支持アーム８２とを備えて構成されている。前記シャッタ本体８１は、トナー排出口５６を覆い得るように寸法設定されているとともに、Ｘ方向から見た断面形状が円弧状を呈してトナーカートリッジ５０の円弧底板５２の内面に摺接し得るように形状設定されている。
【００６２】
かかるシャッタ８０の右側の支持アーム８２を支持するために、円弧底板５２には、トナー排出口５６の右端部より若干右方位置に上方に向かって突設された支持板５２１が設けられている。そして、右側の支持アーム８２は、この支持板５２１に設けられた側板５１の曲率中心線と同心の支軸８３回りに回動自在に軸支されているとともに、左側の支持アーム８２には左側の側板５１に穿設された前記曲率中心孔５１１に対応した位置から外方に向って突出した嵌入突起８４が設けられている。この嵌入突起８４は、径寸法が曲率中心孔５１１の内径寸法より僅かに小さく設定され、これによって曲率中心孔５１１に摺接状態で嵌入し得るようになっている。
【００６３】
そして、嵌入突起８４が曲率中心孔５１１に嵌入されるとともに、右側の支持アーム８２が支軸８３に軸支されることにより、シャッタ８０は、支軸８３および嵌入突起８４の共通の軸心回りに回動可能にトナーカートリッジ５０内に装着され、シャッタ本体８１がトナー排出口５６を覆った閉止姿勢と、シャッタ本体８１がトナー排出口５６を開放した開放姿勢との間で姿勢変更し得るようになっている。
【００６４】
また、前記嵌入突起８４には、その周面の下方位置から軸心に向って切り込まれることによって形成した切込み凹部８４１が設けられている。この切込み凹部８４１は、前記プレート本体７１の装着溝７５の奥部に設けられた係止片７５１に外嵌し得るように形状設定されている。したがって、円盤状ロックプレート７０がロック解除姿勢に姿勢設定された状態でトナーカートリッジ５０を、図５に示すように、カートリッジ保持容器４０内に嵌め込んでいくと、嵌入突起８４がプレート本体７１の装着溝７５に案内されつつ下降し、切込み凹部８４１が係止片７５１に外嵌して両者は同心で一体回転可能になる。
【００６５】
以下、本発明の作用について図１０を基に詳細に説明する。図１０は、本発明に係るロック機構６０の作用を説明するための説明図であり、（イ）は、トナーカートリッジ５０がカートリッジ保持容器４０に嵌め込まれた直後の状態、（ロ）は、カートリッジ保持容器４０に嵌め込まれたトナーカートリッジ５０がロック（抜け止め）された状態をそれぞれ示している。なお、図１０において、（イ）および（ロ）に付された添え字の「ａ」は、正面視の断面図であることを示し、添え字の「ｂ」は、側面視の断面図であることを示している。また、図１０では、開閉機構４５を示すと図が複雑になって見難くなるためその図示を省略している。
【００６６】
まず、図１０の（イ）に示すように、トナーカートリッジ５０は、円盤状ロックプレート７０のプレート本体７１がロック解除姿勢に姿勢設定された状態、すなわち、操作レバー７３が横に向くとともに、装着溝７５が上に向いた状態で嵌入突起８４が装着溝７５に嵌め込まれることによりカートリッジ保持容器４０内に嵌装されている。
【００６７】
そして、この状態では、図１０の（イ）−ａに示すように、嵌入突起８４の切込み凹部８４１がプレート本体７１の係止片７５１に外嵌されて嵌入突起８４とプレート本体７１とは相対的に回り止め状態になっているとともに、図１０の（イ）−ｂに示すように、トナーカートリッジ５０は、カートリッジ保持容器４０内で左方に寄ってトナーカートリッジ５０の柱状突起５１２がカートリッジ保持容器４０の曲率中心凹部４１３に嵌り込まないロック解除状態になっている。また、シャッタ８０が閉止姿勢に姿勢設定されることによってトナーカートリッジ５０のトナー排出口５６がシャッタ本体８１によって閉止されている。したがって、トナーカートリッジ５０内に充填されているトナーがトナー排出口５６を介して排出されることはない。
【００６８】
この状態で、操作レバー７３を指で摘んでプレート本体７１を図１０の（イ）における時計方向に向けて回動させると、係止片７５１および切込み凹部８４１を介して共回り可能になっている嵌入突起８４が時計方向へ回動し、図１０の（ロ）に示すように、円盤状ロックプレート７０が開放姿勢に姿勢設定された状態になる。
【００６９】
そして、この状態においては、図１０の（ロ）−ｂに示すように、トナーカートリッジ５０の干渉突起５７が円盤状ロックプレート７０の円弧凸条７６の傾斜面７６１を相対的にすり上ってトナーカートリッジ５０を右方に押圧するため、これによるトナーカートリッジ５０の右方への移動で柱状突起５１２がカートリッジ保持容器４０の曲率中心凹部４１３へ嵌り込むことになる。
【００７０】
この場合、シャッタ８０の左方の支持アーム８２から突設された嵌入突起８４は、カートリッジ保持容器４０内でトナーカートリッジ５０が右方へ移動しても、装着溝７５から外れることがないように支持アーム８２からの突出量が設定されている。したがって、図１０の（イ）に示す円盤状ロックプレート７０がロック解除姿勢に姿勢設定された状態から、操作レバー７３の操作による円盤状ロックプレート７０の時計方向へ向かう回動で、円盤状ロックプレート７０が、図１０の（ロ）に示すように、ロック姿勢に姿勢変更されることにより、トナーカートリッジ５０は、抜け止め状態でカートリッジ保持容器４０に装着されることになる。
【００７１】
そして、円盤状ロックプレート７０がロック解除姿勢からロック姿勢に姿勢変更されることにより、切込み凹部８４１が係止片７５１に嵌り込んでいる嵌入突起８４が軸心回りに時計方向に向けて回動される。これによってシャッタ本体８１も嵌入突起８４と一体回動して図１０の（ロ）−ｂに示すように開放姿勢に姿勢設定されるため、トナーカートリッジ５０のトナー排出口５６が開放され、これによってトナーカートリッジ５０内のトナーがトナー排出口５６を介して現像装置本体３０へ向けて排出される。
【００７２】
一旦カートリッジ保持容器４０に装着されたトナーカートリッジ５０を取り外すに際しては、図１０の（ロ）に示す上方に突出した操作レバー７３を嵌入突起８４回りに反時計方向に回動操作すればよい。こうすることでシャッタ本体８１が支軸８３および嵌入突起８４の軸心回りに反時計方向に回動してトナー排出口５６がシャッタ本体８１により閉止されるとともに、円盤状ロックプレート７０のプレート本体７１が回動して干渉突起５７に対する円弧凸条７６の干渉が解消される。
【００７３】
この状態でトナーカートリッジ５０を右方に移動させることにより、柱状突起５１２が曲率中心凹部４１３から外れるため（図１０の（イ）の状態）、トナーカートリッジ５０を引き上げることによってカートリッジ保持容器４０から取り外すことができる。
【００７４】
以上詳述したように、本実施形態に係る現像装置２０は、トナー像を形成させるべく感光体ドラム１１０にトナーを供給する現像装置本体３０と、この現像装置本体３０の上部に付設されたカートリッジ保持容器４０と、このカートリッジ保持容器４０に着脱自在に装着されるトナー補給用のトナーカートリッジ５０とを備えてなるものであり、このトナーカートリッジ５０には、カートリッジ保持容器４０に装着された状態で開放されるシャッタ８０が設けられ、カートリッジ保持容器４０の長手方向の対向壁面の一方側には、中心軸７２回りに回動自在に円盤状ロックプレート７０が設けられているとともに、他方側には中心軸７２と対向した曲率中心凹部４１３が設けられている一方、トナーカートリッジ５０は、円盤状ロックプレート７０と曲率中心凹部４１３とに支持されるように構成され、トナーカートリッジ５０のカートリッジ保持容器４０に対するロックおよびロック解除操作並びにトナーカートリッジ５０のシャッタ８０の開閉操作を円盤状ロックプレート７０のワンタッチによる中心軸７２回りの回動操作で同時に行い得るロック機構６０が設けられている。
【００７５】
したがって、トナーカートリッジ５０をカートリッジ保持容器４０へ装着するに際し、円盤状ロックプレート７０を所定の方向にワンタッチ操作で回動させることによりトナーカートリッジ５０のカートリッジ保持容器４０に対するロックとシャッタ８０の開放とが同時に行われるとともに、トナーカートリッジ５０をカートリッジ保持容器４０から取り外すに際しても同様の逆方向に向かうワンタッチ操作でロック解除とシャッタ８０閉止とが同時に行われるため、ロックまたはロック解除操作と、シャッタ８０の開閉操作とを別々に行わなければならなかった従来の現像装置に比べてトナーカートリッジ５０の着脱操作の良好な操作性を得ることができる。
【００７６】
前記ロック機構６０は、円盤状ロックプレート７０の内側の面に凹設された周縁面から中心軸７２の軸心を含む位置へ延びる装着溝７５と、同内側の面に突設された軸心を曲率中心とする円弧凸条７６と、トナーカートリッジ５０の左側の側板５１に突設され、かつ、装着溝７５に嵌り込む嵌入突起８４と、同左側の側板５１に突設され、かつ、円弧凸条７６に干渉する干渉突起５７とを備えて構成されている。
【００７７】
そして、前記円弧凸条７６は、装着溝７５から周方向に離間するに伴って突出量が漸増するような傾斜面７６１を備え、装着溝７５の軸心位置には嵌入突起８４との干渉で当該突起の相対回転を阻止する係止片７５１が設けられ、嵌入突起８４は、円盤状ロックプレート７０がロック解除操作されることによりシャッタ８０を閉止する一方、ロック操作されることによりシャッタ８０を開放するように当該シャッタ８０と連係されているため、トナーカートリッジ５０をカートリッジ保持容器４０へ装着するに際し、トナーカートリッジ５０を、その嵌入突起８４がプレート本体７１の装着方向に延びた装着溝７５に嵌め込まれた状態でカートリッジ保持容器４０に装入していくことにより、当該トナーカートリッジ５０はカートリッジ保持容器４０内に嵌め込まれていく。
【００７８】
そして、トナーカートリッジ５０がカートリッジ保持容器４０内に嵌め込まれた後に円盤状ロックプレート７０をその中心軸７２回りに円弧凸条７６が干渉突起５７と干渉する方向に向けて回動操作することにより、トナーカートリッジ５０は、その干渉突起５７が円弧凸条７６の傾斜面７６１に押圧され、これによってカートリッジ保持容器４０内をその曲率中心凹部４１３の方向にむけて移動してカートリッジ保持容器４０の曲率中心凹部４１３に嵌入するとともに、嵌入突起８４は、横向きになった装着溝７５から抜け止めされ、これによってトナーカートリッジ５０のカートリッジ保持容器４０に対するロックが行われるとともに、トナーカートリッジ５０のシャッタ８０が開放され、トナーカートリッジ５０内のトナーが現像装置本体３０へ補給される。
【００７９】
また、カートリッジ保持容器４０からトナーカートリッジ５０を取り外すに際しては、円盤状ロックプレート７０を中心軸７２回りに装着時と反対方向に回動操作すればよい。こうすることによって干渉突起５７は、円弧凸条７６の傾斜面７６１からの押圧が解除され、トナーカートリッジ５０は、曲率中心凹部４１３から外れるとともに、装着溝７５がトナーカートリッジ５０の抜き出し方向に向くため、これと連動してシャッタ８０が閉じられるため、トナーの漏れ出しが阻止された状態でトナーカートリッジ５０をカートリッジ保持容器４０から取り外すことができる。
【００８０】
このようにロック機構６０を、円盤状ロックプレート７０に設けた装着溝７５と、同円弧凸条７６と、トナーカートリッジ５０に設けた嵌入突起８４と、同円弧凸条７６に干渉する干渉突起５７とを備えて構成するとともに、円弧凸条７６には、装着溝７５から周方向に離間するに伴って突出量が漸増するような傾斜面７６１を備えることにより、トナーカートリッジ５０のロック機構６０を簡単なものにした上でワンタッチ操作でトナーカートリッジ５０のカートリッジ保持容器４０に対するロックおよびロック解除と、シャッタ８０の開閉操作とを同時にを行うことが可能になる。
【００８１】
また、円盤状ロックプレート７０には、当該円盤状ロックプレート７０の回動操作を援助するための操作レバー７３が設けられているため、操作レバー７３の操作で円盤状ロックプレート７０を中心軸７２回りに回動操作することが可能になり、円盤状ロックプレート７０の良好な操作性を確保することができる。
【００８２】
本発明は、上記の実施形態に限定されるものではなく、以下の内容をも包含するものである。
【００８３】
（１）上記の実施形態においては、本発明の請求項１に係るロック機構１００がファクシミリ装置１０の現像装置２０に適用されているが、本発明は、ロック機構１００が現像装置２０に適用されることに限定されるものではなく、感光体ドラム１１０をユニット化したいわゆるドラムユニットと、このドラムユニットを支持するファクシミリ装置１０の上ケース１０ａの所定のフレームとの間に介設してもよいし、ユニット化された定着搬送装置１４と、この定着搬送装置１４を支持するファクシミリ装置１０の上ケース１０ａの所定のフレームとの間に介設してもよい。
【００８４】
また、ロック機構１００が適用される画像形成装置がファクシミリ装置１０であることに限定されるものではなく、複写機であってもよいし、コンピュータに接続された各種のプリンタであってもよい。
【００８５】
（２）上記の実施形態において、カートリッジ保持容器４０の右側の側板４１に設けられた曲率中心凹部４１３内にコイルスプリングを内装してもよい。こうすることによって曲率中心凹部４１３に嵌入したトナーカートリッジ５０の柱状突起５１２は、コイルスプリングの付勢力によって円盤状ロックプレート７０の方向へ向けて押圧されるため、ロック姿勢に姿勢設定された円盤状ロックプレート７０をロック解除姿勢に姿勢変更した状態で、トナーカートリッジ５０は、それを手操作で円盤状ロックプレート７０側に移動させなくても、コイルスプリングの付勢力で自動的に移動し、その分トナーカートリッジ５０のカートリッジ保持容器４０からの取り外し操作の操作性を向上させることができる。
【００８６】
（３）上記の実施形態においては、カートリッジ保持容器４０の右側の側板４１に曲率中心凹部４１３が凹設されている一方、トナーカートリッジ５０の側板５１に曲率中心凹部４１３と対向した柱状突起５１２が凸設されているが、こうする代わりにトナーカートリッジ５０の側板５１側に凹部を設けるとともに、カートリッジ保持容器４０の側板４１側に前記凹部に嵌入する凸部を設けてもよい。
【００８７】
（４）上記の実施形態においては、円盤状ロックプレート７０側に円弧凸条７６が設けられている一方、トナーカートリッジ５０側に円弧凸条７６と対向する干渉突起５７が設けられているが、こうする代わりに円盤状ロックプレート７０側に干渉突起を設けるとともに、トナーカートリッジ５０側に円弧凸条を設けてもよい。
【００８８】
（５）上記の実施形態においては、円盤状ロックプレート７０の回動範囲を９０°に設定しているが、本発明は、円盤状ロックプレート７０の回動範囲が９０°であることに限定されるものではなく、９０°以下であってもよいし、９０°を越えてもよい。
【図面の簡単な説明】
【００８９】
【図１】請求項１記載の発明を概念的に示した説明図である。
【図２】本発明に係る現像装置が適用されるファクシミリ装置の一実施形態を示す外観斜視図である。
【図３】図２示すファクシミリ装置の内部構造の概要を説明するための説明図である。
【図４】本発明に係る現像装置の一実施形態を示す一部切欠き分解斜視図である。
【図５】図４に示す現像装置の一部切欠き組立て斜視図であり、円盤状ロックプレートがロック解除姿勢に姿勢設定された状態を示している。
【図６】図４に示す現像装置の一部切欠き組立て斜視図であり、円盤状ロックプレートがロック姿勢に姿勢設定された状態を示している。
【図７】図５のＡ−Ａ剪断面図である。
【図８】図５のＢ−Ｂ線断面図である。
【図９】開閉機構の一実施形態を示す断面図であり、（イ）は、ゲート部材が閉止位置に位置設定された状態、（ロ）は、ゲート部材が開放位置に位置設定された状態をそれぞれ示している。
【図１０】本発明に係るロック機構の作用を説明するための説明図であり、（イ）は、トナーカートリッジがカートリッジ保持容器０に嵌め込まれた直後の状態、（ロ）は、カートリッジ保持容器に嵌め込まれたトナーカートリッジがロック（抜け止め）された状態をそれぞれ示している。
【符号の説明】
【００９０】
１００  ロック機構            １０１  区画壁
１０２  取付け部              １０３  装着物
１０４  一側壁                １０５  ロックプレート
１０５ａ  支持軸              １０６  第１凸条
１０７  第２凸条
１０  ファクシミリ装置        １０ａ  上ケース
１０ｂ  下ケース              １０ｃ  ヒンジ部
１  読取部                    ２  転写部
１１  イメージングユニット    １１０  感光体ドラム
１２  転写ローラ              １３  レーザ装置
１４  定着搬送装置            ３  給紙部
１５  用紙排出トレイ          １６  給紙カセット
１７  給紙装置                ２０  現像装置
３０  現像装置本体            ３１  筐体
３１１  側壁                  ３１２  前方側天板
３２  現像ローラ              ３２１  ローラ軸
３２２  ローラ本体            ３３  スパイラルフィーダ
３３１  フィーダ軸            ３３２  スパイラルフィン
４０  カートリッジ保持容器（取付け部）
４１  側板（区画壁）          ４１１  曲率中心孔
４１２  ブッシュ              ４１３  曲率中心凹部（軸支部）
４２  円弧底板                ４２１  挿通窓
４３  前板                    ４３１  逃し凹溝
４３１  逃し凹溝              ４４  後板
４５  開閉機構                ４６  ゲート部材
４６１  スライド板            ４６２  リブ
４７  コイルスプリング        ４８  トナー供給口
５０  トナーカートリッジ（装着物）
５１  側板（一側壁）          ５１１  曲率中心孔
５１２  柱状突起              ５２  円弧底板
５２１  支持板                ５３  前板
５４  後板                    ５５  蓋体
５６  トナー排出口            ５７  干渉突起（第２凸条）
６０  ロック機構              ７０  円盤状ロックプレート（ロックプレート）
７１  プレート本体            ７２  中心軸（支持軸）
７２１  ねじ孔                ７３  操作レバー
７４  雄ねじ                  ７４１  ワッシャ
７５  装着溝                  ７５１  係止片
７６  円弧凸条（第１凸条）    ７６１  傾斜面
８０  シャッタ                ８１  シャッタ本体
８２  支持アーム              ８３  支軸
８４  嵌入突起                ８４１  切込み凹部
【図１】
2005242185.tif 000003
【図２】
2005242185.tif 000004
【図３】
2005242185.tif 000005
【図４】
2005242185.tif 000006
【図５】
2005242185.tif 000007
【図６】
2005242185.tif 000008
【図７】
2005242185.tif 000009
【図８】
2005242185.tif 000010
【図９】
2005242185.tif 000011
【図１０】
2005242185.tif 000012